(57)【要約】      （修正有） 【課題】腕に巻いても邪魔にならない程度の収容部を有したブレスレットを提供する。【解決手段】伸縮性を有する素材を使用して、扁平で管形状の略長方形の開口部を有する袋体２の両端を連結してサイズ調整可能な環状のブレスレット１を作る。扁平な管形状の袋体２の厚さは薄い為、手首に巻いても邪魔にならず、デザイン性に優れており、収容した小物等が伸縮素材によって挟持されることで、内部で不安定に移動しない為、腕にかかる負担が少なくて済む。【選択図】図１
0003196483.tif 000002
【実用新案登録請求の範囲】
【請求項１】
伸縮自在な素材で作成された扁平な管形状の袋体に開口部を設け、前記袋体の長手方向の両端を連結具で連結し、環状としたことを特徴とするブレスレット。
【請求項２】
前記連結具は、伸縮体であることを特徴とする請求項１に記載のブレスレット。
【請求項３】
前記連結具は、結束部と前記結束部に挟持される紐とを有し、前記結束部を介して紐のスライドができることを特徴とする請求項１に記載のブレスレット。
【請求項４】
前記袋体は、開閉手段を備えていることを特徴とする請求項１乃至請求項３に記載のブレスレット。
【考案の詳細な説明】
【技術分野】
【０００１】
本考案は、収納部が付いたブレスレットに関するものである。
【背景技術】
【０００２】
従来、ブレスレットは、デザインを重視するあまり、様々な機能が付加されたものは少ない。
【０００３】
そのため、外出の際、持ち物が少ないときには、小さめのバッグかウエストバッグ等の使用が主流であり、ブレスレットに収納できる発想は皆無であった。
【先行技術文献】
【非特許文献】
【０００４】
【非特許文献１】実願２００８−９１３８
【考案の概要】
【考案が解決しようとする課題】
【０００５】
そして、上記バッグやポーチでも、更に収容物が少ないと、軽い運動でもバッグ等の内部で収容物が飛び回って安定せず、また収容物が多いと、必要な小物を見つけにくく、不便であった。
【０００６】
そのため、ほとんど持ち歩く必要が無い場合や、キャンプやコンサート等の野外活動、あるいは、ランニングやトレッキング等の軽い運動の際に、小銭、鍵やサプリメント等これだけは忘れず、または使用するために持っておくためのアイテムが求められていた。
【０００７】
そこで、このような問題を解消すべく、腕に巻いても邪魔にならない程度の収容部を有した手ぶら感覚のブレスレットを提供する。
【課題を解決するための手段】
【０００８】
ブレスレットは、伸縮自在な素材で作成された扁平な管形状の袋体に開口部を設け、前記袋体の長手方向の両端を連結具で連結して環状とする。
【０００９】
前記連結具は、伸縮体を用いる。
【００１０】
また、連結具には、結束部と前記結束部に挟持される紐とを有したものを使用することができる。
【００１１】
また、前記袋体は、開閉手段を備える。
【考案の効果】
【００１２】
本考案によれば、扁平な管形状の袋体の厚さは薄い為、手首に巻いても邪魔にならず、デザイン性に優れており、収容した小物等が伸縮素材によって挟持されることで、内部で不安定に移動しない為、腕にかかる負担が少なくて済む。
【００１３】
また、ブレスレットを構成する伸縮体によって、手首の大きさが異なっても、ある程度のサイズ調整が可能となる。
【００１４】
また、結束部を介して紐を移動させることで、環状としたブレスレットを手首の大きさに応じてサイズ調整できる。
【００１５】
そして、開閉手段を設けることで、軽い運動をしても、収容したものが飛び出すことが無い。また、扁平な管形状の袋体の厚さは薄い為、開口すると収容したものが容易に取り出すことができる。
【考案を実施するための最良の形態】
【００１６】
以下、図１乃至図８を参照して本考案に係るブレスレット１を説明する。
まず、伸縮性を有する素材を使用して、扁平で管形状の略長方形の開口部を有する袋体２を作る。
【００１７】
このとき、伸縮性を有する袋体２の素材は、ポリウレタン繊維、ポリエステル、ナイロン、ＰＢＴ（ポリブチレンテレフタレート）繊維、ＰＴＴ（ポリトリメチレンテレフタレート）繊維などの合成繊維を使用すると良い。収容物３は、伸縮素材によって挟持されることで、内部で不安定に移動しない為、腕にかかる負担が少なくて済む。
【００１８】
また、実施例では、収容物３は小銭を収容できるとしているが、他にも紙幣、サプリメント、鍵等の出し入れが可能であり、収容スペースが狭いため、収容物３が限定されることで、収容したものが何であったか忘れることがない。
【００１９】
そして、略長方形の袋体２の横幅は、大人から子供の手首の周囲に対応するため、予め男性用、女性用、子供用各サイズを準備しておき、各サイズでの微調整を連結具６で行えるようにする。
【００２０】
このとき、連結具６として伸縮体４を用いるときは、帯状のゴム紐であることが望ましく、また、帯状のゴム紐複数本使用しても構わない。
【００２１】
次に、扁平で管形状の略長方形の開口部にファスナー、面ファスナー、ボタン、磁石等の開閉手段５を備えておき、軽い運動をしても、収容したものが飛び出すことが無い構造としておく。
【００２２】
また、前記連結具６は、紐７によるスライドタイプを用いることもできる。
【００２３】
紐７によるスライドタイプとは、例えば、１本又は複数の紐をＳ字状に曲げて、その中央を結束部８で挟持した状態で形成される対方向のループ部分９を、袋体２の長手方向の両端と連結したものとする。
【００２４】
環状としたブレスレット１を手首の大きさに応じてサイズ調整するには、ループ部分９の大きさを広げるように紐を一方向に引っ張ることで、サイズを大きくするか、反対にループ部分９の大きさを狭めるように紐７を一方向に引っ張ることで、サイズを小さくすることで調整できる。
【００２５】
ここで、結束部８は、紐７が緩みなく挟持されるものであれば素材や管の長さ等はなんでも良く、紐を束ねて、別の紐で縛ったものも結束部８に含まれる。
【００２６】
そして、結束部８から紐７が抜け落ちないように、各紐の先端１０は、コブ結びにしておくか、別途パーツを取り付けるなどして、結束部８の径よりも大きくしておくことが望ましい。
【００２７】
また、紐７は、糸、組紐、ゴム紐、皮紐、布紐、チェーン等の金属紐等デザイン性を考慮して様々な素材を用いることができる。
【００２８】
さらに、複数の紐７を並列にして、その中央を結束部８で挟持した状態で形成される各紐のうち、少なくとも１本を、残る紐の両端のうち一端と連結した袋体の長手方向の両端のうち一方の端ではない、もう一方の端と連結することで紐によるスライドタイプを実施することができる。
【００２９】
この場合、結束部８を境にして、結合された側の紐７を引っ張るとサイズが大きくなり、結合されていない紐先を引っ張れば、サイズが小さくなる。
【００３０】
このように、好ましい実施例を挙げて本考案を説明したが、本考案はその実施例に限定されるものではなく、本考案の要旨の範囲内で種々に組み合わせや改変できる。
【図面の簡単な説明】
【００３１】
【図１】本考案に係るブレスレットの完成体斜視図である。
【図２】本考案に係るブレスレットの完成体斜視図である。
【図３】本考案に係るブレスレットの使用状態を示す図である。
【図４】本考案に係るブレスレットの使用状態を示す図である。
【図５】本考案に係るブレスレットの断面図である。
【図６】本考案に係るブレスレットの断面図である。
【図７】本考案に係るブレスレットの紐タイプの構造を示す図である。
【図８】本考案に係るブレスレットの紐タイプ使用方法を示す図である。
【図９】本考案に係るブレスレットの紐タイプの構造を示す図である。
【図１０】本考案に係るブレスレットの紐タイプ使用方法を示す図である。
【符号の説明】
【００３２】
１  ブレスレット
２  袋体
３  収容物
４  伸縮体
５  開閉手段
６  連結具
７  紐
８  結束部
９  ループ部分
１０  先端
【図１】
0003196483.tif 000003
【図２】
0003196483.tif 000004
【図３】
0003196483.tif 000005
【図４】
0003196483.tif 000006
【図５】
0003196483.tif 000007
【図６】
0003196483.tif 000008
【図７】
0003196483.tif 000009
【図８】
0003196483.tif 000010
【図９】
0003196483.tif 000011
【図１０】
0003196483.tif 000012